(57)【要約】第１のカットアウトから得られるハーフケース（４１）を形成する底と、第２のカットアウトから形成される蓋とを含み、底の下側はくぼみ（１９、８５、１０８、１０９、１１０、１１１）を備え、蓋はその上面に接着させ、相補的な形状のくぼみと縦に整列した少なくとも２つのタブ（３３、４３、５４、５５、５６、５７、７３、７４、７５、８８）を含む、パッキングケース（４０）、カットアウトのセット及びケースを得るための方法である。蓋は、側辺に、うち２つ（２１、２３）がエンドフラップ（２７、２８、２９、３０）を備える４つの横パネル（２１、２２、２３、２４；７７、７９、８１）を備え、タブはそれぞれ１つのエンドフラップと接続される。
2011507774.tif 000002
【特許請求の範囲】
【請求項１】
第１のカットアウトと、第２のカットアウトによって形成される蓋とから得られるハーフケース（４１）を形成する、下側にくぼみ（１９、８５、１０８、１０９、１１０、１１１）を備える底を含み、蓋がくぼみの補完的な形状に一致して上面に取り付けられる少なくとも２つのタブ（３３、４３、５４、５５、５６、５７、７３、７４、７５、８８）を含むパッキングケースであって、
蓋がその側辺に、うち２つ（２１、３２）がエンドフラップ（２７、２８、２９、３０）を備える４つの横パネル（２１、２２、２３、２４；７７、７９、８１）を備える中央パネル（２０、８７）を含み、前記タブが前記エンドフラップのうち１つに接続されるパッキングケース（４０）。
【請求項２】
中央パネル（２０、８７）が矩形であり、
横パネルが、第１の折り曲げ線（２５）によって、各端に、第３の折り曲げ線（３１）によって前記第１のパネルに接続された補強された角を形成する前記エンドフラップを有する前記中央パネルに接続される、２つの第１の対向する横パネル（２１、２３）であって、
タブ（３３）が、４つの折り曲げ線（３４）によってそれぞれ上記対応するフラップの上縁に各自接続される横パネルと、第２の折り曲げ線（２６）によって、フラップのない前記中央パネルに接続される２つの第２の対向する横パネル（２２、２４）とを含む、請求項１記載のケース。
【請求項３】
中央パネルが（２０）が、中央パネルと第２の横パネルとの間の第２の折り曲げ線（２６）に、タブ（３３）を通過させることができるスロット（３５）を含み、
前記第１の横パネル（２１、２３）が、折り曲げられて、ハーフケースに対向する横面と協働し、
前記フラップ（２７、２８、２９、３０）が、対応する角上に折り下げられ、
前記タブ（３３）が、前記スロット（３５）を通過して折り下げられ、前記フラップの外面上に取り付けられる第２の横パネル（２２、２４）を有する中央パネル（２０）の上面上に取り付けられる、請求項２記載のケース。
【請求項４】
エンドフラップ（２７、２８、２９、３０）が、第２の横パネル（２２、２４）に取り付けられ、
タブ（３３）が、折り曲げられて中央パネル（２０）の上面に取り付けられる、請求項２記載のケース。
【請求項５】
蓋が着脱可能である、請求項１〜４のいずれか一項記載のケース。
【請求項６】
第１及び／又は第２の横パネル（２１、２２、２３、２４）が、ハーフケースの隣接する横面に取り付けられる、請求項１〜４のいずれか一項記載のケース。
【請求項７】
第１のカットアウト（１、８２）が、固定タブ（８）で終了する第１の接合線（７）によってともに接合され、一つの側辺で第２の接合線（１０）によって、前記底の下側を形成する一連のフラップ（１１、１２、１３、１４）に接続される一連の少なくとも４つの主壁（３、４、５、６）を含み、
前記フラップのうち２つ（１２、１４）が、前記くぼみを形成することができるノッチ（１９）を備える少なくとも１つの側縁（１５）をそれぞれ含む、請求項１〜６のいずれか一項記載のケース。
【請求項８】
第１のカットアウトが、第４及び第５の接合線（９８、９９）をそれぞれ介して、各側に備えられた第３の接合線（９７）によって、第１及び第２の一連のフラップとともに接合された、一連の３つの壁（９４、９５、９６）を含み、
前記一連の壁の中央壁が、少なくとも２つのくぼみ（１０５、１０７、１０８）を備える、請求項１〜６のいずれか一項記載のケース。
【請求項９】
前記くぼみ（１０５）のそれぞれが、前記中央壁に隣接するフラップとの接合線（１０５）の縁に位置する、請求項８記載のケース。
【請求項１０】
くぼみ（１０８）が、中央壁（９５）に隣接する壁（９４、９６）のそれぞれとの第１の接合線（９７）の縁又は付近に位置する、請求項８記載のケース。
【請求項１１】
底の下側が、ケースの４つの角に実質的に配置された４つのくぼみ（１９、１０８、１０９、１１０）を含み、
蓋が、その上面に、対応する４つのタブ（３３、４３、５４、５５、５６、５７）を含む、請求項１〜１０のいずれか一項記載のケース。
【請求項１２】
段ボールシート材料、すなわち、ケースの底を形成することができ、くぼみ（１９、８５、１０８、１０９、１１０、１１１）を含む第１のカットアウト（１、９１、９２、９３）と、
前記ケースの蓋を形成することができ、各側に矩形の横パネル（２１、２２、２３、２４）、すなわち第１の折り曲げ線（２５）によって前記中央パネルに接続された２つの第１の対向する横パネル（２１、２３）と、第２の折り曲げ線（２６）によって前記中央パネルに接続された２つの第２の対向する横パネル（２２、２４）とに備えられた矩形の中央パネル（２０）を含む第２のカットアウト（２、４２、５０、５１、５２、５３、７０、７１、７２、８７）とから作られる２つのカットアウトを含む、パッキングケースを組み立てるためのカットアウトのセットであって、
２つの第１の対向する横パネルが、それらの側縁に沿って、第３の折り曲げ線（３１）によってエンドフラップ（２７、２８、２９、３０）にそれぞれ接続されて、補強された角を形成し、
少なくとも２つのエンドフラップ（２７、２８、２９、３０）が、対応するフラップの第３の折り曲げ線に垂直な第４の折り曲げ線によって、第２のカットアウトが平らに配置されたときに前記第２の横パネル（２２、２４）に向けられ、相補的な形状のくぼみに一致して蓋が作り上げられたときに蓋の上面に取り付けられることができる取り付けタブ（３３、４３、５４、５５、５６、５７、７３、７４、７５、８８）に接続される、カットアウトのセット。
【請求項１３】
中央パネル（２０）が、中央パネルと第２の横パネルとの間に配置された第２の折り曲げ線（２６）に、タブ（３３）を通過させることができるスロット（３５）を含み、
前記タブ（３３）が、前記スロット（３５）を通過させて折り曲げ、中央パネルの上面に取り付けることができる、請求項１２記載のカットアウトのセット。
【請求項１４】
第２の横パネル（２２、２４）の側縁が、ノッチ（３７´、４４、５８、５９、７６、７８、８０）を有する、請求項１２又は１３記載のセット。
【請求項１５】
ノッチが、タブの形状を補う形状である、請求項１４記載のセット。
【請求項１６】
第２のカットアウトが、４つのタブを有する、請求項１２〜１５のいずれか一項記載のセット。
【請求項１７】
第１のカットアウト（１）が、固定タブ（８）で終了する第１の接合線（７）によってともに接合され、一方の側辺で第２の接合線（１０）によって、前記底の下側を形成し、うち２つが、前記くぼみを形成することができるノッチ（１９）を備える少なくとも１つの側縁（１５）をそれぞれ含む一連のフラップ（１１、１２、１３、１４）に接続されている、一連の少なくとも４つの主壁（３、４、５、６）を含む、請求項１２〜１６のいずれか一項記載のセット。
【請求項１８】
第１のカットアウトが、各側辺に備えられた第３の接合線（９７）によってともに接合され、第４及び第５の接合線（９８、９９）をそれぞれ介して、第１及び第２の一連のフラップを備える一連の３つの壁（９４、９５、９６）を含み、
前記一連の壁の中央壁が、少なくとも２つのくぼみ（１０５、１０７、１０８）を備える、請求項１２〜１６のいずれか一項記載のセット。
【請求項１９】
前記くぼみ（１０５）がそれぞれ、前記中央壁に隣接したフラップを有する接合線（９８、９９）の縁に位置する、請求項１８記載のセット。
【請求項２０】
くぼみ（１０８）が、中央壁（９５）に隣接する壁（９４、９６）のそれぞれを有する第１の接合線の縁又はその付近に位置する、請求項１８記載のセット。
【請求項２１】
底の下側が、実質的に前記下面の４つの角に配置された４つのくぼみ（１９、１０８、１０９、１１０）を含む、請求項１２〜２０のいずれか一項記載のセット。
【請求項２２】
請求項１２〜２１記載の、少なくとも２つのシート状のボール紙又は段ボールのカットアウト（１、２）からパッキングケースを作成する方法であって、
蓋が、ホットメルト接着剤で予めコーティングされたタブを、上面に押し下げることによって形成される方法。
【請求項２３】
横パネルと接する接合線にスロット（３５）を備える中央パネル（２０）では、フラップ（２７、２８、２９、３０）を備える横パネル（２１、２３）が予め折りたたまれ、パネルのフラップが予め折りたたまれ、垂直に向けられたタブがその後スロット内に差し込まれた後、フラップのない横パネルが押し下げられて、タブが接着剤でコーティングされて上面に押し下げられる、請求項２１記載の方法。
【請求項２４】
第１及び第２の横パネルが折りたたまれ、
いったんフラップの内面が接着剤でコーティングされると、フラップが押し下げられ、
さらにタブが上面に押し下げられる、請求項２２記載の方法。
【請求項２５】
いったんフラップ及びタブが接着剤でコーティングされると、フラップ及びタブが蓋の上面上に押し下げられる前に、横パネルがハーフケースの側面上に押し下げられる、請求項２４記載の方法。
【発明の詳細な説明】
【技術分野】
【０００１】
本発明は、ハーフケース及び蓋を形成する底部を含むケースに関し、底部の下面はくぼみを備え、蓋はその上面にくぼみに沿って、相補的な形状であるタブを含む。
【０００２】
さらに、そのようなケースを組み立てるためのカットアウトのセットと、当該セットを用いた製造方法とに関する。
【背景技術】
【０００３】
非限定的な用途であるが、箱の分野では、パレット上に積み重ねることができ、取り扱われている間又は輸送中に、互いに対して滑る傾向を有しているかもしれないことが特に重要であることがわかる。
【０００４】
箱の滑りを回避する箱センタリングシステムが周知であり、これらは、端部の角に、又はその近くに位置付けられたオリフィスと協働する横つまみを使用する。
【０００５】
そのようなシステムは弱く、繰り返し取り扱うことに耐えることができない。
【０００６】
蓋を形成するフラップのいくつかが、フラップと同様の形状をなす底に作られたノッチの形状を補う形状であって、入れ子にすることによって横方向の固定化を提供することができるパッケージが周知である（ＦＲ−Ａ−２  ３１１  ７１７）。
【０００７】
そのような実施態様は、２セットのフラップを有するカットアウトされたブランク形状を必要とすることに加え、低い基本重量に適さず、十分な縦方向の積み上げがいつでも可能とはならないが、これは、箱が作り上げられるときに存在する場合がある不一致に起因する。
【０００８】
上面に取り付けられる、タブを備える蓋を有する箱が周知である。タブはカットアウトされ、後方に折りたたまれることによって、二重の折り曲げ線を呈する。
【０００９】
そのような箱は、良好な中央揃え及び優れた固定化を提供するが、タブを後ろ向きにすることに関連するこの特殊な機能に起因して、いつでも容易に作り上げられるわけではない。
【００１０】
本発明の目的は、既に周知であるものよりも良好に実用上の要求を満たすことができ、特に、一方で互いに中央揃えされて、箱が完全に積み重ねられることを可能にし、他方でケースが簡易かつ安価な方法で形成されることを可能にするために、ケース、カットアウトのセット及び作成方法を提供することである。
【００１１】
したがって、本発明により、パッケージがパレット上に置かれたときに互いの上面に積み重ねられた場合、滑りを回避できるため、低基本重量のボードを用いることが可能になり、これにより、費用がかかり、余分な手間を要するパレット用アクセサリの使用が回避される。
【００１２】
この目的のために、本発明は特に、第１のカットアウトと、第２のカットアウトによって形成される蓋とから得られるハーフケースを形成する、下側にくぼみを備える底を含み、蓋がくぼみの補完的な形状に一致して上面に取り付けられる少なくとも２つのタブを含むパッキングケースであって、蓋がその側辺に、うち２つがエンドフラップを備える４つの横パネルを備える中央パネルを含み、タブがエンドフラップのうち１つに接続されるパッキングケースを提案する。
【００１３】
いくつかの有利な実施形態では、以下の１つ及び／又は別の構成が、手段としてさらに用いられる。
−  中央パネルは矩形であり、横パネルは、第１の折り曲げ線によって、各端に、第３の折り曲げ線によって第１のパネルに接続された補強された角を形成するエンドフラップを有する中央パネルに接続される、２つの第１の対向する横パネルであって、タブは、４つの折り曲げ線によってそれぞれ上記対応するフラップの上縁に各自接続される横パネルと、第２の折り曲げ線によって、フラップのない中央パネルに接続される２つの第２の対向する横パネルとを含む。
−  中央パネルは、中央パネルと第２の横パネルとの間の第２の折り曲げ線に、タブを通過させることができるスロットを含み、第１の横パネルは、折り曲げられて、ハーフケースに対向する横面と協働し、フラップは、対応する角上に折り下げられ、タブは、スロットを通過して折り下げられ、フラップの外面上に取り付けられる第２の横パネルを有する中央パネルの上面上に取り付けられる。
−  エンドフラップは、第２の横パネルに取り付けられ、タブが、折り曲げられて中央パネルの上面に取り付けられる。
−  蓋は着脱可能である。
−  第１及び／又は第２の横パネルは、ハーフケースの隣接する横面に取り付けられる。そのような場合、当該製造物は、蓋が取り付けられる前にハーフケースに置かれる。
−  第１のカットアウトは、固定タブで終了する第１の接合線によってともに接合され、一つの側辺で第２の接合線によって、底の下側を形成する一連のフラップに接続される一連の少なくとも４つの主壁を含み、フラップのうち２つが、くぼみを形成することができるノッチを備える少なくとも１つの側縁をそれぞれ含む。
−  第１のカットアウトは、第４及び第５の接合線をそれぞれ介して、各側に備えられた第３の接合線によって、第１及び第２の一連のフラップとともに接合された、一連の３つの壁を含み、一連の壁の中央壁が、少なくとも２つのくぼみを備える。
−  くぼみのそれぞれは、中央壁に隣接するフラップとの接合線の縁に位置する。
−  くぼみは、中央壁に隣接する壁のそれぞれとの第１の接合線の縁又は付近に位置する。
−  底の下側は、ケースの４つの角に実質的に配置された４つのくぼみを含み、蓋が、その上面に、対応する４つのタブを含む。
【００１４】
また、本発明は、そのようなケースを得るために用いられることができるカットアウトのセットを提案する。
【００１５】
また、段ボールシート材料又は等価物、すなわち、ケースの底を形成することができ、くぼみを含む第１のカットアウトと、ケースの蓋を形成することができ、各側に矩形の横パネル、すなわち第１の折り曲げ線によって中央パネルに接続された２つの第１の対向する横パネルと、第２の折り曲げ線によって中央パネルに接続された２つの第２の対向する横パネルとに備えられた矩形の中央パネルを含む第２のカットアウトとから作られる２つのカットアウトを含む、ケースを形成することが意図されるカットアウトのセットであって、２つの第１の対向する横パネルが、それらの側縁に沿って、第３の折り曲げ線によってエンドフラップにそれぞれ接続されて、補強された角を形成し、少なくとも２つのエンドフラップが、対応するフラップの第３の折り曲げ線に垂直な第４の折り曲げ線によって、第２のカットアウトが平らに配置されたときに第２の横パネルに向けられ、相補的な形状のくぼみに一致して蓋が作り上げられたときに蓋の上面に取り付けられることができる取り付けタブに接続されるカットアウトのセットを特に提案する。
【００１６】
有利には、中央パネルは、中央パネルと第２の横パネルとの間に配置された第２の折り曲げ線に、タブを通過させることができるスロットを含み、タブは、スロットを通過させて折り曲げ、中央パネルの上面に取り付けることができる。
【００１７】
別の有利な実施形態では、第２の横パネルの側縁は、ノッチを有する。
【００１８】
さらに有利には、ノッチは、タブの形状を補う形状である。
【００１９】
第２のカットアウトは、４つのタブを有する。
【００２０】
別の有利な実施形態では、第１のカットアウトは、固定タブで終了する第１の接合線によってともに接合され、一方の側辺で第２の接合線によって、底の下側を形成し、うち２つが、くぼみを形成することができるノッチを備える少なくとも１つの側縁をそれぞれ含む一連のフラップに接続されている、一連の少なくとも４つの主壁を含む。
【００２１】
また、本発明は、前述のような２つのシート状のボール紙又は段ボールのカットアウトのセットからパッキングケースを作成する方法であって、蓋は、ホットメルト接着剤で予めコーティングされたタブを、上面に押し下げることによって形成される方法を提案する。
【００２２】
１つの有利な実施形態では、横パネルと接する接合線にスロットを備える中央パネルでは、フラップを備える横パネルが予め折りたたまれ、パネルのフラップが予め折りたたまれ、垂直に向けられたタブがその後スロット内に差し込まれた後、フラップのない横パネルが押し下げられて、タブが接着剤でコーティングされて上面に押し下げられる。
【００２３】
別の有利な実施形態では、第１及び第２の横パネルが折りたたまれ、いったんフラップの内面が接着剤でコーティングされると、フラップが押し下げられ、さらにタブが上面に押し下げられる。
【００２４】
有利には、いったんパネル、フラップ及びタブが接着剤でコーティングされると、フラップ及びタブが蓋の上面上に押し下げられる前に、横パネルがハーフケースの側面上に押し下げられる。
【図面の簡単な説明】
【００２５】
【図１】本発明の第１の実施形態の第１のカットアウトの、上からの平面図である。
【図２】本発明の第１の実施形態の第２のカットアウトの、上からの平面図である。
【図３Ａ】図２の第２のカットアウトから蓋のハーフケースを作成する斜視図である。
【図３Ｂ】図２の第２のカットアウトから蓋のハーフケースを作成する斜視図である。
【図３Ｃ】図２の第２のカットアウトから蓋のハーフケースを作成する斜視図である。
【図３Ｄ】図２の第２のカットアウトから蓋のハーフケースを作成する斜視図である。
【図４】本発明の実施形態の第１及び第２のカットアウトから得られる２つのケースの連結を示す斜視図である。
【図５】本発明の第２の実施形態の第２のカットアウトの、上からの平面図である。
【図６Ａ】図５の第２のカットアウトから蓋のハーフケースを作成する斜視図である。
【図６Ｂ】図５の第２のカットアウトから蓋のハーフケースを作成する斜視図である。
【図６Ｃ】図５の第２のカットアウトから蓋のハーフケースを作成する斜視図である。
【図６Ｄ】図５の第２のカットアウトから蓋のハーフケースを作成する斜視図である。
【図７Ａ】４つのタブを有する本発明のさらなるカットアウトの他の実施形態の、上からの平面図である。
【図７Ｂ】４つのタブを有する本発明のさらなるカットアウトの他の実施形態の、上からの平面図である。
【図８Ａ】４つのタブを有する本発明のさらなるカットアウトの他の実施形態の、上からの平面図である。
【図８Ｂ】４つのタブを有する本発明のさらなるカットアウトの他の実施形態の、上からの平面図である。
【図９】２つのタブを有する本発明の第２のカットアウトの他の実施形態の、上からの平面図である。
【図１０Ａ】２つのタブを有する本発明の第２のカットアウトの他の実施形態の、上からの平面図である。
【図１０Ｂ】２つのタブを有する本発明の第２のカットアウトの他の実施形態の、上からの平面図である。
【図１１】２つの対応する第１のカットアウトタブと協働するように配置された、２つのくぼみを有する第１のカットアウトの１つの実施形態の平面図である。
【図１２】ボードの使用を最適化する本発明の１つの実施形態の、互いに重なり合う第２のカットアウトの配列の平面図である
【図１３】３つの壁を有する本発明の第１のカットアウトの実施形態を示す。
【図１４】３つの壁を有する本発明の第１のカットアウトの実施形態を示す。
【図１５】３つの壁を有する本発明の第１のカットアウトの実施形態を示す。
【発明を実施するための形態】
【００２６】
本発明は、非限定的な例示を目的として本明細書で挙げられた、以下に続くいくつかの実施形態の記載を読むことから、よりよく理解される
【００２７】
図１及び２は、たとえば厚さ２〜３ｍｍの段ボールの包装ケースを組み立てるためのカットアウトのセットを示し、２つのカットアウトを含む。
【００２８】
第１のカットアウト１は、ケースの底部を形成することができ、第２のカットアウト２は、ケースの蓋を形成するためのものである。
【００２９】
第１のカットアウトは、第１の接合線７によって一緒になるように接合された一連の４つの矩形主壁３、４、５、６を含み、接合線は互いに平行であり、ハーフケースが形成されるときに対向する壁の外縁９にタブを取り付けるための、同様に矩形の固定タブ８で終了する。
【００３０】
一連の壁は、一つの側に沿って、線７に対して垂直な第２の接合線１０によって、実質的に矩形のフラップ１１、１２、１３、１４に接続され、２つの対向するフラップ１２及び１４は、各々の側縁１５、１６、１７、１８にノッチ１９を有し、ハーフケースの底部が形成されたときにくぼみを形成することができる。
【００３１】
より具体的には、これらのノッチは、たとえば実質的に台形であるか、円形又は楕円形の一部である形状の外形を有し、たとえばフラップ上の、フラップの高さの３分の１にわたる中間点に位置する、以下に説明するタブの形状を補う。
【００３２】
その他２つのフラップ１１、１３は、側辺にノッチがない。
【００３３】
さらに、一連の壁のその他の側辺は、フラップを有していない。
【００３４】
一方、図２は、ケースの蓋を形成するために用いられる第２のカットアウトを示す。
【００３５】
第２のカットアウトは、矩形の横パネル２１、２２、２３、２４、すなわち第１の折り曲げ線２５によって中央パネルに接続された２つの第１の対向する横パネル２１、２３と、第１の折り曲げ線に対して垂直な第２の折り曲げ線２６によって中央パネルに接続された２つの対向する第２の横パネル２２、２４とを各側辺に備える矩形の中央パネル２０を含む。
【００３６】
２つの第１の対向する横パネル２１及び２３は、それらの側辺に沿って、第２の折り曲げ線２６と連続する第３の折り曲げ線３１によって、各矩形エンドフラップ２７、２８及び２９、３０にそれぞれ接続され、強化された角を形成する。
【００３７】
これら４つのエンドフラップ２７、２８、２９、３０はそれぞれその側縁３２に、第２のカットアウトが平らに配置されたときに、対応するフラップの第３の折り曲げ線３１に対して垂直な４つの折り曲げ線３４を介して隣接するフラップに向けられる取り付けタブ３３を含む。
【００３８】
タブ３３は、蓋が形成されたときに、くぼみに合わせ、くぼみの形状を補う形状で蓋の上面に取り付けることができ、カットアウト１を参照して説明されたように、一方が他方に適合することを可能にする。
【００３９】
中央パネル２０は、中央パネル２０と第２の横パネル２１、２３との間の第２の折り曲げ線２６上に、タブを通すことができるスロット３５を含み、これらは中央パネルの角３６から距離ｄに位置する。タブはそれら自体が同じ距離ｄに位置決めされ、スロットのものよりもわずかに小さな幅及び厚さであり、後者を通過して折りたたまれ、中央パネルの上面上に取り付けられることができる。
【００４０】
これを行うために、及び折りたたむことをより容易にする実施形態では、折り曲げ線３４は、タブの外側に向かってわずかに、たとえば段ボールの厚さの半分だけ、又はその厚さ分だけずらされる。
【００４１】
一方、第２の対向するパネル２２及び２４は、横フラップがなく、タブ３３に面する側辺３７形状を有し、この形状は、たとえば長方台形であり、フラップは、第２の折り曲げ線２６からパッケージの内側に向かって傾けられた第１の部分３８と、たとえば第４の折り曲げ線３４に平行であり、カットアウトブランク又はカットアウトが平らに配置された場合に、対応するタブに良好な間隔を提供するスペース３７´が存在する第２の部分３９とを含む。
【００４２】
スロット３５は、第２のパネルに対応する第２の折り曲げ線上に、上記で示された数、たとえば４つ（線ごとに２つ）位置し、それぞれが実質的に、線に沿ってその各端に、線上４分の１に位置付けられる。
【００４３】
ここで、図１及び２を参照して説明されたカットアウトからのパッキングケース４０の作成を、図３Ａ〜３Ｄを参照して説明する。以下の記載では、同様の参照番号を用いて、同様の構成要素を示す。
【００４４】
図３Ａでは、中央パネルは、すでに形成されたハーフケース４１に面するように平らにされ、たとえば第１のカットアウト１の壁を折り曲げて、ハーフケースの底を組み立てるようにフラップを位置付けて閉じることによって、ハーフケースを取り囲む。
【００４５】
そして、くぼみ（図では目視できない）を含むフラップは、くぼみを有していないフラップ上に取り付けられ、箱の底にノッチまたはくぼみを形成し、これらはタブと協働するようになっている。
【００４６】
図３Ｂを参照すると、フラップ２７、２８、２９、３０を備える横パネル２１及び２３は予め折りたたまれ、それからフラップが予め折りたたまれる。フラップの平面の延長線上で垂直に立ち上がるタブ２３は、スロット３５内に差し込まれた後、フラップを有さず、予め接着剤でコーティングされている横パネル２２、２４が、フラップ２８上に押し下げられ、タブの内面は接着剤でコーティングされ、中央パネルの上面に押し下げられて蓋を、そして図３Ｄに見られるようなケース４０を形成する。
【００４７】
図４は、本明細書で上述したような２つのケース４０が重ね合わされて図示され、タブ３３が、上述のケースの一部である対向するくぼみ１９にどのようにして適合するかを示している。
【００４８】
そのような二者の適合は、箱の間の優れた安定性、簡易な方法で行うことを提供する。
【００４９】
図５は、本発明の第２のカットアウト４２の別の実施形態を図示する。
【００５０】
これは、両側に横パネル２１、２２、２３、２４を備える中央パネル２０からなるカットアウトであり、２つの横パネル２１及び２３は、フラップ２７、２８、２９、３０を有し、それら自体がタブ４３を備え、たとえば、隣接する横壁２２、２４の側縁４４の形状を、周囲にたとえば幅２ｍｍの寸法で小スロット４５を残したまま採用して、隣接するボートに関するタブの良好な間隔を可能にするように設計される。
【００５１】
ここで、そのような蓋は、異なる実施形態を可能にし、その構造は図６Ａ〜６Ｄを参照して説明される。
【００５２】
ここでの目的は、スロットを通してタブ４３を差し込むことではなく、単に、いったんフラップ２７、２８、２９、２０の内面とタブ４３とが重ね合わされると、図６Ａに示されるように、第２のカットアウト４２に、図５を参照して説明されたハーフケース４１上の蓋形状を与えることである。
【００５３】
これを行うために、第２のパネル２２及び２４はたとえば、第１の横パネル２１及び２３が、今度は折り曲げられて対面する隣接側に押し下げられる前に、折り曲げられて（図６Ｂ）ハーフケース４１の対面する横面に押し下げられ、その後、接着剤コーティングされたタブ４３が、ケースのパネル２０の上面に押し下げられる前にフラップ２７、２８、２９、３０が折り曲げられて押し下げられ（図６Ｃ参照）、図６Ｄに示される蓋と、結果としてパッケージ４４とを得る。
【００５４】
図７Ａ及び７Ｂ、そして８Ａ及び８Ｂは、本発明の第２のカットアウト５１、５１、５２、５３の実施形態を示し、各カットアウトは、フラップに取り付けられ、対向するノッチ５８、５９を有する小パネル２２、２４に向けられた、異なるタイプの４つのタブ、すなわちタブ５４、５５、５６、５７（図７Ａ及び７Ｂ）を含み、タブの形状に対応する（図７Ａのノッチ５８）か、あるいは対向タブを自由なままに維持する半台形に対応する（図７Ｂのノッチ５９）を備える。
【００５５】
ここで、図８Ａ、８Ｂに対応するカットアウトの第２の実施形態は、小パネルにフラップ６０、６１、６２、６３を有する代表的な実施形態を示し、小パネルは、第２のパネルの高さに対して同じか又は異なる（フラップ６０）、より低い（フラップ６２）又はより高い（フラップ６１、６３）外縁の高さを有し、後者の場合、矩形形状に戻る前に、フラップが取り付けられたパネルの外側周辺に対して、たとえばカットアウトの外側６４又は内側６５に向かって傾けられた外縁を有するくの字型を有する。
【００５６】
図９、１０Ａ及び１０Ｂは、２つの外フラップに、対角するタブを２つのみ有する第２のカットアウト７０、７１、７２の別の実施形態を示し、外フラップは、タブを取り囲む隣接したパネル７７のノッチ７６か、隣接したパネル７９の半台形形状のノッチ７８か、あるいは外側に開口し、横パネル８１のタブの形状を補うノッチ８０かを備える。
【００５７】
また、パネル７７、７９又は８１は、タブを有していないフラップに直面している別の側縁を有する。
【００５８】
対応する第１のカットアウト８２（図１１参照）は、図１を参照して説明されたカットアウトと同様に、ここでは、２つの対向フラップ８４の場合、側縁に、パッケージが形成されたときにタブと協働するノッチ８５を１つのみ備える底を形成するフラップ８３、８４を含む。
【００５９】
図１２は、パネル８６を図示し、すなわち第２のカットアウト８７用のボードの使用を最適化する段ボールの幅、ここでは対角線上に対向する２つのタブ８８によって本発明の蓋を得るために、相補的な形状で設計される。
【００６０】
これらの実施形態では、第２の横パネル８９は、その上端にくの字型部９０を含む。
【００６１】
さらに、図１３、１４及び１５は、本発明の第１のカットアウト９１、９２、９３の別の実施形態を示す。
【００６２】
ここで、各第１のカットアウトは、平行な第３の接合線によってともに接合された一連の３枚の壁９４、９５、９６を含み、それぞれ第４の及び第５の互いに平行な接合線９８及び９９を介して各端に、第１及び第２の一連の実質的に矩形のフラップ１００及び１０１、すなわち３つのフラップ１０２、１０３、１０４及び１０５、１０６、１０７が備えられる。
【００６３】
図１３の実施形態では、中央壁９５は、その第４及び第５の線９８、９９上に、接合のためのフラップ１０３及び１０６とともに、各端の２つの矩形又は実質的に矩形である互いに面する要素１０８、すなわち合計４つのくぼみを含む。
【００６４】
図１４の実施形態では、くぼみはここで、端１０９上に、又は隣接するフラップ９４、９５をそれぞれ接合するための第１の接合線９７の近傍１１０に対をなして位置し、またここではタブに対応して実質的に矩形である。
【００６５】
さらに、図１５は、本発明の第１のカットアウト９３の別の実施形態を図示し、中央壁９５の下側は、くぼみ１０８と同一か又はそのタイプの、ちょうど２つのくぼみ１１０を有し、接合線９８において中央壁上に対角に配置され、ここでは、図９、１０Ａ、１０Ｂ及び１２を参照して説明された第２のカットアウトのタイプのタブと協働することが可能である。
【００６６】
言うまでもなく、またいかなる場合にも前述から明白であるが、本発明はより詳細に記載された実施形態に限定されない。それどころか、すべての変形物、特にタブの形状が異なるものを包含する。
【図１】
2011507774.tif 000003
【図２】
2011507774.tif 000004
【図３Ａ−３Ｄ】
2011507774.tif 000005
【図４】
2011507774.tif 000006
【図５】
2011507774.tif 000007
【図６Ａ】
2011507774.tif 000008
【図６Ｂ】
2011507774.tif 000009
【図６Ｃ】
2011507774.tif 000010
【図６Ｄ】
2011507774.tif 000011
【図７Ａ】
2011507774.tif 000012
【図７Ｂ】
2011507774.tif 000013
【図８Ａ】
2011507774.tif 000014
【図８Ｂ】
2011507774.tif 000015
【図９】
2011507774.tif 000016
【図１０Ａ】
2011507774.tif 000017
【図１０Ｂ】
2011507774.tif 000018
【図１１】
2011507774.tif 000019
【図１２】
2011507774.tif 000020
【図１３】
2011507774.tif 000021
【図１４】
2011507774.tif 000022
【図１５】
2011507774.tif 000023
【国際調査報告】
2011507774.tif 000024
2011507774.tif 000025
2011507774.tif 000026
2011507774.tif 000027
2011507774.tif 000028
2011507774.tif 000029